【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
可変表示を行い、有利条件が成立したことにもとづいて有利状態に制御する遊技機であって、
未だ開始していない可変表示を保留記憶として記憶する保留記憶手段と、
前記保留記憶手段に記憶されている保留記憶に対応して所定の表示態様で保留表示を表示する保留表示手段と、
前記有利状態に制御するか否かを決定する決定手段と、
前記決定手段による決定結果にもとづいて、可変表示の制御を行う可変表示制御手段と、
前記決定手段の決定前に、前記有利状態に制御されるか否かを判定する判定手段と、
前記判定手段による判定結果にもとづいて、前記有利状態に制御される可能性を判定対象となった保留記憶に対応する保留表示を通常態様とは異なる表示態様に変化させて表示することにより予告する予告演出を実行する予告演出実行手段と、
保留表示の表示態様が変化することを示唆する示唆演出を実行する示唆演出実行手段と、
前記保留表示手段を含む報知手段の電力消費量が相異なる通常電力状態と省電力状態とに制御可能な電力制御手段とを備え、
前記報知手段は前記保留表示手段である第１報知手段と前記保留表示手段以外の第２報知手段とを含み、前記通常電力状態と前記省電力状態とでの電力消費量差は、前記第１報知手段と前記第２報知手段とで異なり、
前記予告演出実行手段は、前記保留表示手段によって表示されている保留表示のうちに前記通常態様とは異なる表示態様で表示されている保留表示があるか否かに応じて、異なる割合で前記保留表示手段によって表示されている保留表示のうちのいずれかを前記通常態様とは異なる表示態様に変化させる
ことを特徴とする遊技機。
【請求項２】
可変表示を行い、有利条件が成立したことにもとづいて有利状態に制御する遊技機であって、
未だ開始していない可変表示を保留記憶として記憶する保留記憶手段と、
前記保留記憶手段に記憶されている保留記憶に対応して所定の表示態様で保留表示を表示する保留表示手段と、
前記有利状態に制御するか否かを決定する決定手段と、
前記決定手段による決定結果にもとづいて、可変表示の制御を行う可変表示制御手段と、
前記決定手段の決定前に、前記有利状態に制御されるか否かを判定する判定手段と、
前記判定手段による判定結果にもとづいて、前記有利状態に制御される可能性を判定対象となった保留記憶に対応する保留表示を通常態様とは異なる表示態様に変化させて表示することにより予告する予告演出を実行する予告演出実行手段と、
保留表示の表示態様が変化することを示唆する示唆演出を実行する示唆演出実行手段と、
前記保留表示手段を含む報知手段の電力消費量が相異なる通常電力状態と省電力状態とに制御可能な電力制御手段とを備え、
前記報知手段は前記保留表示手段である第１報知手段と前記保留表示手段以外の第２報知手段とを含み、前記通常電力状態と前記省電力状態とでの電力消費量差は、前記第１報知手段と前記第２報知手段とで異なり、
前記予告演出実行手段は、
保留記憶に対応する保留表示を前記通常態様とは異なる表示態様である複数種類の特別態様のいずれかによって表示することにより前記有利状態に制御される可能性を異なる期待度で予告する予告演出を実行可能であり、
前記通常態様で表示されている保留表示を前記特別態様に変化させて表示するときと、前記通常態様とは異なる表示態様で表示されている保留表示を前記特別態様に変化させて表示するときとで、異なる割合で複数種類の前記特別態様のいずれかに変化させる
ことを特徴とする遊技機。
【請求項３】
可変表示を行い、有利条件が成立したことにもとづいて有利状態に制御する遊技機であって、
未だ開始していない可変表示を保留記憶として記憶する保留記憶手段と、
前記保留記憶手段に記憶されている保留記憶に対応して所定の表示態様で保留表示を表示する保留表示手段と、
前記有利状態に制御するか否かを決定する決定手段と、
前記決定手段による決定結果にもとづいて、可変表示の制御を行う可変表示制御手段と、
前記決定手段の決定前に、前記有利状態に制御されるか否かを判定する判定手段と、
前記判定手段による判定結果にもとづいて、前記有利状態に制御される可能性を判定対象となった保留記憶に対応する保留表示を通常態様とは異なる表示態様に変化させて表示することにより予告する予告演出を実行する予告演出実行手段と、
保留表示の表示態様が変化することを示唆する示唆演出を実行する示唆演出実行手段と、
前記保留表示手段を含む報知手段の電力消費量が相異なる通常電力状態と省電力状態とに制御可能な電力制御手段とを備え、
前記報知手段は前記保留表示手段である第１報知手段と前記保留表示手段以外の第２報知手段とを含み、前記通常電力状態と前記省電力状態とでの電力消費量差は、前記第１報知手段と前記第２報知手段とで異なり、
前記予告演出実行手段は、前記保留表示手段によって表示されている保留表示のうちのいずれの保留表示の表示態様を変化させるかによって前記有利状態に制御される可能性を異なる期待度により予告可能である
ことを特徴とする遊技機。
【請求項４】
予告演出の実行を制限する制限手段を備えた、請求項１から請求項３のいずれかに記載の遊技機。
【手続補正２】
【補正対象書類名】明細書
【補正対象項目名】０００９
【補正方法】変更
【補正の内容】
【０００９】
（手段１）本発明による遊技機は、可変表示（例えば、第１特別図柄や第２特別図柄、演出図柄の変動表示）を行い、有利条件が成立したことにもとづいて有利状態（例えば、大当り遊技状態）に制御する遊技機であって、未だ開始していない可変表示を保留記憶（例えば、第１保留記憶や第２保留記憶）として記憶する保留記憶手段（例えば、第１保留記憶バッファや第２保留記憶バッファ）と、保留記憶手段に記憶されている保留記憶に対応して所定の表示態様で保留表示を表示する保留表示手段（例えば、合算保留記憶表示部１８ｃを含む演出表示装置（液晶表示装置）９）と、有利状態に制御するか否かを決定する決定手段（例えば、遊技制御用マイクロコンピュータ５６０がステップＳ６１，Ｓ６２，Ｓ７３を実行する部分）と、決定手段による決定結果にもとづいて、可変表示の制御を行う可変表示制御手段（例えば、演出制御用マイクロコンピュータ１００がステップＳ１８１３，Ｓ１８４５を実行する部分）と、決定手段の決定前に、有利状態に制御されるか否かを判定する判定手段（例えば、遊技制御用マイクロコンピュータ５６０がステップＳ１２１７，Ｓ１２２８を実行する部分）と、判定手段による判定結果にもとづいて、有利状態に制御される可能性を判定対象となった保留記憶に対応する保留表示を通常態様とは異なる表示態様（例えば、特殊態様や第１特別態様、第２特別態様）に変化させて表示することにより予告する予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）と、前記保留表示手段（演出表示装置９）を含む報知手段（演出表示装置９、スピーカ２７Ｒ，２７Ｌ、およびＬＥＤ２５，２８ａ，２８ｂ，２８ｃ）の電力消費量が相異なる通常電力状態(通常モード)と省電力状態（省電力モード）とに制御可能な電力制御手段（演出制御基板８０の演出制御用マイクロコンピュータ１００、音声出力基板７０の音声制御用マイクロコンピュータ、およびランプドライバ基板３５のランプ制御用マイクロコンピュータ）とを備え、前記報知手段は前記保留表示手段である第１報知手段（演出表示装置９）と前記保留表示手段以外の第２報知手段（スピーカ２７Ｒ，２７Ｌ、およびＬＥＤ２５，２８ａ，２８ｂ，２８ｃ）とを含み、前記通常電力状態と前記省電力状態とでの電力消費量差は、前記第１報知手段と前記第２報知手段とで異なり（演出表示装置９とスピーカ２７Ｒ，２７ＬまたはＬＥＤ２５，２８ａ，２８ｂ，２８ｃとで異なる。）、予告演出実行手段は、保留表示手段によって表示されている保留表示のうちに通常態様とは異なる表示態様で表示されている保留表示があるか否か（例えば、保留表示変化中フラグがセットされているか否か）に応じて、異なる割合で保留表示手段によって表示されている保留表示のうち���いずれかを通常態様とは異なる表示態様に変化させる（例えば、演出制御用マイクロコンピュータ１００が、保留表示変化中フラグがセットされているか否かにもとづいて、判定値が異なる割合で設定された先読み演出実行決定テーブルと、先読み演出パターン変化タイミング決定テーブルとを選択して用いて、先読み演出の実行の有無と実行する場合の変化タイミングとを決定する先読み演出決定処理（ステップＳ６７１，Ｓ６７１０４，Ｓ６７１０８）を実行する部分と、先読み演出決定処理の決定結果にもとづいて、ステップＳ１８１３，Ｓ１８４５を実行する部分。図３３，図３５〜図３８参照）ことを特徴とする。
【手続補正３】
【補正対象書類名】明細書
【補正対象項目名】００１０
【補正方法】変更
【補正の内容】
【００１０】
そのような構成により、予告演出が実行されるときの保留表示の表示態様にも関心を持たせることができ、予告演出の興趣を高めることができる。
（手段２）可変表示（例えば、第１特別図柄や第２特別図柄、演出図柄の変動表示）を行い、有利条件が成立したことにもとづいて有利状態（例えば、大当り遊技状態）に制御する遊技機であって、未だ開始していない可変表示を保留記憶（例えば、第１保留記憶や第２保留記憶）として記憶する保留記憶手段（例えば、第１保留記憶バッファや第２保留記憶バッファ）と、保留記憶手段に記憶されている保留記憶に対応して所定の表示態様で保留表示を表示する保留表示手段（例えば、合算保留記憶表示部１８ｃを含む演出表示装置（液晶表示装置）９）と、前記有利状態に制御するか否かを決定する決定手段（例えば、遊技制御用マイクロコンピュータ５６０がステップＳ６１，Ｓ６２，Ｓ７３を実行する部分）と、決定手段による決定結果にもとづいて、可変表示の制御を行う可変表示制御手段（例えば、演出制御用マイクロコンピュータ１００がステップＳ１８１３，Ｓ１８４５を実行する部分）と、決定手段の決定前に、有利状態に制御されるか否かを判定する判定手段（例えば、遊技制御用マイクロコンピュータ５６０がステップＳ１２１７，Ｓ１２２８を実行する部分）と、判定手段による判定結果にもとづいて、有利状態に制御される可能性を判定対象となった保留記憶に対応する保留表示を通常態様とは異なる表示態様（例えば、特殊態様や第１特別態様、第２特別態様）に変化させて表示することにより予告する予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）と、前記保留表示手段（演出表示装置９）を含む報知手段（演出表示装置９、スピーカ２７Ｒ，２７Ｌ、およびＬＥＤ２５，２８ａ，２８ｂ，２８ｃ）の電力消費量が相異なる通常電力状態(通常モード)と省電力状態（省電力モード）とに制御可能な電力制御手段（演出制御基板８０の演出制御用マイクロコンピュータ１００、音声出力基板７０の音声制御用マイクロコンピュータ、およびランプドライバ基板３５のランプ制御用マイクロコンピュータ）とを備え、前記報知手段は前記保留表示手段である第１報知手段（演出表示装置９）と前記保留表示手段以外の第２報知手段（スピーカ２７Ｒ，２７Ｌ、およびＬＥＤ２５，２８ａ，２８ｂ，２８ｃ）とを含み、前記通常電力状態と前記省電力状態とでの電力消費量差は、前記第１報知手段と前記第２報知手段とで異なり（演出表示装置９とスピーカ２７Ｒ，２７ＬまたはＬＥＤ２５，２８ａ，２８ｂ，２８ｃとで異なる。）、予告演出実行手段は、保留記憶に対応する保留表示を通常態様とは異なる表示態様である複数種類の特別態様（第１特別態様または第２特別態様（本例の特殊態様も含む））のいずれかによって表示することにより有利状態に制御される可能性を異なる期待度で予告する予告演出を実行可能であり、通常態様���表示されている保留表示を特別態様に変化させて表示するときと、通常態様とは異なる表示態様（特殊態様（本例の第１特別態様も含む））で表示されている保留表示を特別態様（第１特別態様または第２特別態様）に変化させて表示するときとで、異なる割合で複数種類の特別態様のいずれかに変化させる（例えば、演出制御用マイクロコンピュータ１００が、最終表示態様にもとづいて、先読み演出パターンを決定する先読み演出決定処理（ステップＳ６７１，Ｓ６７１０６，Ｓ６７１０７）を実行する部分と、先読み演出決定処理の決定結果にもとづいて、ステップＳ１８１３，Ｓ１８４５を実行する部分。図３４参照）ことを特徴とする。
【手続補正４】
【補正対象書類名】明細書
【補正対象項目名】００１１
【補正方法】変更
【補正の内容】
【００１１】
そのような構成により、予告演出が実行されるときの保留表示の表示態様にも関心を持たせることができ、さらに有利状態に制御される可能性を異なる期待度で予告することができるため、予告演出の興趣を高めることができる。
（手段３）本発明による遊技機は、可変表示（例えば、第１特別図柄や第２特別図柄、演出図柄の変動表示）を行い、有利条件が成立したことにもとづいて有利状態（例えば、大当り遊技状態）に制御する遊技機であって、未だ開始していない可変表示を保留記憶（例えば、第１保留記憶や第２保留記憶）として記憶する保留記憶手段（例えば、第１保留記憶バッファや第２保留記憶バッファ）と、保留記憶手段に記憶されている保留記憶に対応して所定の表示態様で保留表示を表示する保留表示手段（例えば、合算保留記憶表示部１８ｃを含む演出表示装置（液晶表示装置）９）と、有利状態に制御するか否かを決定する決定手段（例えば、遊技制御用マイクロコンピュータ５６０がステップＳ６１，Ｓ６２，Ｓ７３を実行する部分）と、決定手段による決定結果にもとづいて、可変表示の制御を行う可変表示制御手段（例えば、演出制御用マイクロコンピュータ１００がステップＳ１８１３，Ｓ１８４５を実行する部分）と、決定手段の決定前に、有利状態に制御されるか否かを判定する判定手段（例えば、遊技制御用マイクロコンピュータ５６０がステップＳ１２１７，Ｓ１２２８を実行する部分）と、判定手段による判定結果にもとづいて、有利状態に制御される可能性を判定対象となった保留記憶に対応する保留表示を通常態様とは異なる表示態様（例えば、特殊態様や第１特別態様、第２特別態様）に変化させて表示することにより予告する予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）と、前記保留表示手段（演出表示装置９）を含む報知手段（演出表示装置９、スピーカ２７Ｒ，２７Ｌ、およびＬＥＤ２５，２８ａ，２８ｂ，２８ｃ）の電力消費量が相異なる通常電力状態(通常モード)と省電力状態（省電力モード）とに制御可能な電力制御手段（演出制御基板８０の演出制御用マイクロコンピュータ１００、音声出力基板７０の音声制御用マイクロコンピュータ、およびランプドライバ基板３５のランプ制御用マイクロコンピュータ）とを備え、前記報知手段は前記保留表示手段である第１報知手段（演出表示装置９）と前記保留表示手段以外の第２報知手段（スピーカ２７Ｒ，２７Ｌ、およびＬＥＤ２５，２８ａ，２８ｂ，２８ｃ）とを含み、前記通常電力状態と前記省電力状態とでの電力消費量差は、前記第１報知手段と前記第２報知手段とで異なり（演出表示装置９とスピーカ２７Ｒ，２７ＬまたはＬＥＤ２５，２８ａ，２８ｂ，２８ｃとで異なる。）、予告演出実行手段は、保留表示手段によって表示されている保留表示のうちのいずれの保留表示の表示態様を変化させるか（例えば、いずれのシフトタイミングで保留表示を変化させて表示するか）によって有利状態に制御される可能性を異なる期待度により予告可能である（例えば、演���制御用マイクロコンピュータ１００が、最終表示態様と先読み演出パターンとにもとづいて、変化タイミングを決定する先読み演出決定処理（ステップＳ６７１，Ｓ６７１０８）を実行する部分と、先読み演出決定処理の決定結果にもとづいて、ステップＳ１８１３，Ｓ１８４５を実行する部分。図３５〜図３８参照）ことを特徴とする。
【手続補正５】
【補正対象書類名】明細書
【補正対象項目名】００１２
【補正方法】変更
【補正の内容】
【００１２】
そのような構成により、予告演出が実行されるときの保留表示にも関心を持たせることができ、さら有利状態に制御される可能性を異なる期待度により予告することができるため、予告演出の興趣を高めることができる。
（手段４）手段１から手段３のうちのいずれかにおいて、保留表示の表示態様は、通常態様と該通常態様とは異なる複数段階の表示態様（例えば、特殊態様や第１特別態様、第２特別態様）とを含み、予告演出実行手段は、保留表示手段によって表示されている保留表示のうちに通常態様とは異なる表示態様で表示されている保留表示がある場合には、高い割合で通常態様とは異なる表示態様で表示されている保留表示を現段階よりも高い段階の表示態様に変化させて表示する（例えば、演出制御用マイクロコンピュータ１００が、第３先読み演出パターン（通常態様から特別態様に変化する）よりも第２先読み演出パターン（通常態様から特殊態様、特殊態様から特別態様に変化する）に決定されやすい先読み演出パターン決定テーブルを用いて先読み演出パターンを決定するとともに、保留表示変化中フラグがセットされているか否かにもとづいて、判定値が異なる割合で設定された先読み演出実行決定テーブルと、先読み演出パターン変化タイミング決定テーブルとを選択して用いて、先読み演出の実行の有無と実行する場合の変化タイミングとを決定する先読み演出決定処理（ステップＳ６７１，Ｓ６７１０４，Ｓ６７１０７，Ｓ６７１０８）を実行する部分と、先読み演出決定処理の決定結果にもとづいて、ステップＳ１８１３，Ｓ１８４５を実行する部分。図３３〜図３８参照）ように構成されていてもよい。